(57)【特許請求の範囲】
【請求項１】
コの字型の鉄パイプ（１）（２）（３）を設け、ジョイント（４）（５）（６）（７）（８）（９）を設け、パイプの穴栓（１０）（１１）（１２）（１３）（１４）（１５）を設け、横棒（１６）を設け、横棒（１６）の両端に脱着部（１７）（１８）を設け、カバー（１９）を設け、カバー（１９）の両端に袋部（２０）（２１）を設け、カバー（１９）の上部二隅にまち部（２２）（２３）を設け、カバー（１９）の下部二隅にまち部（２４）（２５）を設け、下部二隅にひも（２６）（２７）カバー（１９）の中央部下部に熱風取り入れ口（２８）を設け、上部と前部にカバー（２９）を設け、金属性の熱風導入筒（３０）を設け、底面に足（３１）（３２）（３３）（３４）を設けた。石油フアンヒーター用折り畳み式乾燥機
【発明の詳細な説明】
【０００１】
【発明の属する技術の分野】
この発明は、梅雨時、雪国や雨降り、とくに冬場の洗濯物や寝具を短時間に乾燥させるために、石油フアンヒーターの余熱を利用し、しかもコンパクトで軽量で安価である。折り畳み式石油フアンヒーター用乾燥機に関するものである。
【従来の技術】
【０００２】
電気乾燥機やガス乾燥機はあつたが、いずれも高価な上に場所を取り、重量もあり、また電気代やガス代もかかる。この方法だと値段も安く、場所も取らず、軽い上に余熱を利用するために燃費もかからず、寝具も乾燥できる点が優れているし、また熱風導入筒を使用することにより安全でもある。
【０００３】
【発明が解決しようとする課題】
イ  場所を取らないように折畳みにした。
ロ  電気代やガス代が掛からないようにフアンヒーターの余熱を利用した。
ハ  コストダウンと軽量化を計るために布を多くした。
ニ  衣類の取り外しを楽にする為にコの字型にし、前方の横棒を無くした。
ホ  石油フアンヒーターにあまり近かずけると危険なので、金属性の熱風導入筒を設けた。
ヘ  熱風取り入れ効率上げるために金属性の熱風導入筒に足を設けた。
ト  熱風取り入れ口を裏面にしたことで衣類の取り外しを楽にした。
チ  熱風取り入れ口を裏面にしたことで、ふとんの様な大きい物もかける事ができるようになつた。
リ  洗濯リングなどもそのまま掛けることができ、急な雨降りなどに便利である。
ヌ  横棒を取り外すだけで、折り畳めるようにした。
ル  組み立ては、ワンタチでき、そのときカバーはいちいち取り外さなくてもよいようにした。
オ  カーバを外すと、室内用の物干し器として使用できる。
【０００４】
【課題を解決するための手段】
コの字型鉄パイプ（１）（２）（３）をジョイント（４）（５）（６）（７）（８）（９）をつなぐだけで、三折りになり、コストも安くコの字型に開いて立てた時に、安定性もある。開閉防止兼物干し竿の横棒（１６）を橋渡し、横棒（１６）の両端に脱着部（１７）（１８）を設け、ワンタッチで組みたてができるようにした。カバー（１９）を設け、カバー（１９）をコの字型に組み立てた。パイプに装着しやすいように両端に袋部（２０）（２１）を設た。  カバー（１９）の上部二隅にまち部（２２）（２３）を設け、カバー（１９）の下部二隅にまち部（２４）（２５）を設け、下部二隅にひも（２６）（２７）を設け、カバーのずれを防止した。カバー（１９）の中央部下部に熱風取り入れ口（２８）を設け、上部と前部にカバー（２９）を設け、金属性の熱風導入筒（３０）を設け、金属性の熱風導入筒（３０）の底面に足（３１）（３２）（３３）（３４）を設けた事により、安全性も高くなり、石油フアンヒーターから出てくる熱風の効率もよくなつた。石油フアンヒーター用折り畳み式乾燥機である。
【０００５】
【発明の実施の形態】
１、コの字型鉄パイプ（１）（２）（３）をジョイント（４）（５）（６）（７）（８）（９）つなぐ
２、つないだパイプにカバー（１９）を装着する。
３、ここまでの作業は、購入時のみ
４、それをコの字型にたてる。
５、横棒（１６）を橋渡し、両端部（１７）（１８）で固定する。
６、洗濯物をハンガーまたは、リングにつるす。
７、それを横棒（１６）につるす。
８、カバー（２９）で前部と上部を覆う。
９、熱風取り入れ口（２８）に、熱風導入筒（３０）を合わせる。
１０、熱風導入筒（３０）に、石油フアンヒーターの熱風吹出し口を合せる。
１１、石油フアンヒーターのスイッチを入れる
１２、６０分で洗濯物を外す。
１３、横棒（１６）を取り、熱風導入筒（３０）をはずし、三つ折にして収納する。
【０００６】
【発明の効果】
本発明を使用することにより、雨降りや雪国、共働きの人々の洗濯物や寝具の乾燥が簡単になり、燃費もかからず場所もとらず、何よりも安価なことである。
【図面の簡単な説明】
【図１】本発明のコの字型パイプをジョイントでつなぎだ図
【図２】本発明の三折衝立コの字型に組み立て図
【図３】本発明の部品の一覧図
【図４】本発明のカバーの型紙図
【図５】本発明のカバーの出来上がり図
【図６】本発明のカバー装着図
【図７】本発明の前部と上部のカバーの型紙図
【図８】本発明の前部と上部のカバーの出来上がり斜視図
【図９】本発明の金属性の熱風導入筒の分解図
【図１０】本発明の金属性の熱風導入筒組み立て図
【図１１】本発明の横棒セツト図
【図１２】本発明の洗濯物リングセツト斜視図
【図１３】本発明の洗濯物セツト斜視図
【図１４】本発明の洗濯物吊り輪セツト斜視図
【図１５】本発明の前部と上部のカバーのセツト図
【図１６】本発明に金属性の熱風導入筒と石油フアンヒーターをセツトした図
【図１７】本発明のふとんセツト斜視図
【図１８】本発明のふとん乾燥の最終使用セツト図
【符号の説明】
１、２、３    コの字型パイプ
４、５、６、７、８、９、  ジョイント
１０、１１、１２、１３、１４、１５、  穴栓
１６、  横棒
１７、１８、  脱着部
１９、  カバー
２０、２１、  両端袋部
２２、２３、  上部二隅まち
２４、２５    下部二隅まち
２６、２７    下部二隅ひも
２８、  熱風取り入れ口
２９  上部と前部カバー
３０、  金属性の熱風導入筒
３１、３２、３３、３４、  足
３５、  洗濯物
３６、  洗濯物リング
３７、  洗濯物吊り輪
３８、  熱風
３９、  ６ミリボルト（足）
４０、  ６ミリナツト
４１、  ４ミリボルト
４２、  ４ミリナツト
４３、  ふとん
４４、  石油フアンヒーター
４５、  石油フアンヒーター用折り畳み敷き乾燥機
【図１】
0003944560.tif 000002
【図２】
0003944560.tif 000003
【図３】
0003944560.tif 000004
【図４】
0003944560.tif 000005
【図５】
0003944560.tif 000006
【図６】
0003944560.tif 000007
【図７】
0003944560.tif 000008
【図８】
0003944560.tif 000009
【図９】
0003944560.tif 000010
【図１０】
0003944560.tif 000011
【図１１】
0003944560.tif 000012
【図１２】
0003944560.tif 000013
【図１３】
0003944560.tif 000014
【図１４】
0003944560.tif 000015
【図１５】
0003944560.tif 000016
【図１６】
0003944560.tif 000017
【図１７】
0003944560.tif 000018
【図１８】
0003944560.tif 000019